【事件の表示】
　平成　５年特許願第　　８２２７号「色副搬送波振幅調整回路」拒絶査定に対する審判事件［平成　５年１１月１９日出願公開、特開平　５−３０８６５５］について、次のとおり審決する。
【結　論】
　本件審判の請求は、成り立たない。
【理　由】
１．手続の経緯（本願発明・原査定）
（１）本願は、パリ条約による優先権主張（１９９２年１月２２日：ドイツ）を伴う平成５年１月２１日の出願である。
（２）本願発明
　その特許請求の範囲の請求項１から請求項４までに係る各発明は、平成１３年１２月１８日付けおよび平成１４年１０月４日付けの各手続補正書により補正された明細書および図面の記載からみて、各請求項にそれぞれ記載されたとおりの「色副搬送波振幅調整回路」であると認められるところ、そのうち、請求項１に係る発明（以下、本願発明ともいう）は請求項１に記載された下記１のとおりのものである。
　　　　　記１（請求項１に係る発明）
　再生時に、色同期信号の振幅から導出される調整電圧（Ｕｒ）が、時定数素子（１４）を介して色副搬送波増幅器（８）の増幅度を調整し、電子ビームが、オーバスキャンのため画像スクリーン上には可視表示されない、画像のスタート時における時間間隔（Ａ）の間、時定数（Ｔ）は、可視画像の期間に有効な大きな値（Ｔ１）から該大きな値より小さな値（Ｔ２）に切り換えられる、ビデオレコーダにおける色副搬送波振幅調整回路において、
　時定数素子（１４）がヘッド切換信号（Ｕｓ）の供給されるパルス形成器（１７）において生成された制御電圧（ＵＴ）により制御されており、
　抵抗（Ｒ１）およびコンデンサ（Ｃ１）を有するフィルタ部が調整電圧（Ｕｒ）の経路に設けられており、かつ別のコンデンサ（Ｃ２）は、スイッチ（２０、２１）を用いて前記コンデンサ（Ｃ１）に並列に接続することができ、
　前記スイッチは、トランジスタ（２０）または電界効果トランジスタ（２１）によって形成されている、
ことを特徴とする色副搬送波振幅調整回路。
（３）原査定
　原査定の理由は、概略、下記２のとおりである。
　　　　　記２（査定の理由）
　請求項１から請求項５までに係る各発明は、刊行物１及び刊行物２に記載された各発明及び周知技術に基づいて当業者が容易に発明をすることができたものであるから、特許法第２９条第２項の規定により、特許を受けることができない。
　刊行物１：特開昭４９−５１８１６号公報
　刊行物２：特開昭５７−８３９８９号公報
　刊行物３：特開昭６２−２１９７９２号公報（周知技術を示す刊行物）
　
２．刊行物の記載
（１）原査定に引用された各刊行物には、各々、下記の記載が認められる（なお、数式中の乗算及び除算の表現については、刊行物に記載の表現に換えて、それぞれ「・」及び「／」の記号を用いて表現した。内容を変更するものではない）。
　（ａ）刊行物１（特開昭４９−５１８１６号公報）
　「本発明は複数個のヘッドを有し、各ヘッドを切換えて連続した信号を得る記録再生装置における各ヘッドの出力レベル差を補償するための自動利得制御回路（ＡＧＣ）に関し、・・・カラーＶＴＲの再生カラー信号のＡＧＣ等に用いてその応答を速やかにすることができる特徴を有する」（１頁左下欄11行〜17行）
　「Ｍ方式カラーＶＴＲでは、色信号は低域周波数帯に変換され、周波数変調された白黒信号に重畳して直接記録されるため、ヘッドの出力差がそのまま色信号のレベル差となって現われる。これを補償するため従来は第１図に示すようなカラーＡＧＣ回路が使用されている。」（１頁左下欄18行〜右下欄３行）
　「第１図において、端子(1)に入った再生カラー信号はＡＧＣ制御増巾器(2)で利得制御して増巾され、バーストゲート(3)に導かれる。バーストゲート(3)で分離されたバースト信号は整流器(4)で整流され、その電圧がホールド回路(5)によって次のバースト信号が来るまでの間保持される。この電圧でＡＧＣ増巾器(2)の利得が制御され、出力レベルのそろった信号が端子(6)に得られるのである。・・・バースト信号がある期間に時定数Ｔ１＝Ｒ１・Ｃでホールド回路(5)の容量Ｃが充電され、バースト信号がない期間の保持は時定数Ｔ２＝Ｒ２・Ｃで放電が行われる。」（１頁右下欄４行〜12行、15行〜18行）
　「第３図の基本的な構成は第１図・・・と同様である。・・・(7)は本発明によって付加されたトランジスタスイッチ、(8)は抵抗Ｒ２’、(9)はヘッド切換信号入力端子である。」（２頁左上欄13行〜19行）
　「本発明の特徴は、ヘッド切換時にヘッド切換信号（第４図ｄ）を端子(9)よりスイッチングトランジスタ(7)に導き、トランジスタ(7)を導通させ、放電時定数をＴ２’＝（Ｒ２・Ｒ２’）／（Ｒ２＋Ｒ２’）・Ｃにするものである。」（２頁左上欄19行〜右上欄３行）
　「このようにするときは、一水平走査期間内での放電を第１図に示した回路の場合よりはるかに小さく抑えるように時定数Ｔ１＝Ｒ１・Ｃを大きくとり、且つＲ２’を適当に決めることにより、ヘッド切換時の応答を速くすることができる。」（２頁右上欄３行〜８行）
　「本発明は・・・複数個のヘッドを有する記録再生装置において、各ヘッドの出力レベル差を補償するような場合に広く利用することができ、常時の時定数を充分大きくとり、ヘッド切換時には時定数を小さくしてその応答を速くすることができる特徴を有する。」（２頁左下欄４行〜９行）
　「ヘッド切換信号は・・・ヘッド切換信号に関連した信号の任意のところから取ることができる。」（２頁右上欄11行〜１４行）
　第４図（ｄ）によれば、「ヘッド切換信号はヘッド切換直後の所定時間の間立ち上がるパルス形状の信号であること」がみてとれる。
　（ｂ）刊行物２（特開昭５７−８３９８９号公報）
　「本発明は家庭用ＶＴＲの色信号処理回路のＡＣＣ回路に用いるのに好適な検波回路に関するものである。」（１頁左下欄14行〜16行）
　「２つのヘッドの特性の不揃いのため、フィールド間でレベル差が生じる。・・・フィールド間のレベル差を吸収するため、やはりＡＣＣ回路が必要となる。」（１頁右下欄12行〜17行）
　「フィールドの切換りから一定時間以上たつとレベルは揃うことになるが、放電、充電の行なわれている過渡時にはフィールド間でレベルが異なることになる。テレビ画面はフィールドの切換りから２０Ｈ後・・・ぐらいから始まるから、放電の過渡状態・・・もこの程度の時間で終らせる必要がある」（２頁右上欄３行〜10行）
　「ここで、フィールド間の色信号レベル差は６dBぐらいは生じる。この６dBを２０Ｈぐらいの間で補償する必要があるわけで、かなり早い放電が要求される」（３頁左上欄３行〜６行）
　（ｃ）刊行物３（特開昭６２−２１９７９２号公報）
　「本発明は、ビデオテープレコーダに適用して好適なカラービデオ信号の再生装置に関する。」（１頁左下欄14行〜15行）
　「本発明は・・・ＡＣＣ回路の応答速度を、ヘッドの切換えの直後のみ早め、その他の期間は通常の遅い速度に切換えるようにしたものである。」（２頁右下欄５行〜８行）
　「タイミングパルスＱとしては第２図Ｃに示すように、第５図で説明したスイッチングパルスＰの立上り又は立下りを基準として、所定の時間Ｔ丈け遅らせ、かつ所定の時間幅Ｗを有するパルスを使用でき、この場合、時間幅Ｗは例えば0.7ｍ秒程度に選ぶことができる。」（３頁左下欄20行〜右下欄６行）
　第５図によれば、「スイッチングパルスＰはヘッドの切換毎に交番する信号であること」がみてとれる。
　
３．本願発明と刊行物に記載された発明との対比
（１）刊行物１に記載された発明
　上記記載によれば、刊行物１には、各ヘッドの出力レベル差を補償することをその目的とし、下記３の構成を備えた「複数のヘッドを切換えて連続した信号を得る記録再生装置における自動利得制御回路」が記載されている。
　　　　　記３（刊行物１記載の発明）
　再生時に、バーストゲート(3)で分離したバースト信号を整流器(4)で整流し、その電圧をホールド回路(5)によって次のバースト信号が来るまでの間保持し、その保持した電圧（制御電圧ｂ）によりＡＧＣ制御増幅器(2)の利得を制御し、端子(1)から入力される再生カラー信号をＡＧＣ制御増幅器(2)で増幅して出力レベルのそろった再生カラー信号を端子(6)に得る構成を基本的構成とし、
　ホールド回路(5)を構成する抵抗Ｒ１、コンデンサＣ及び抵抗Ｒ２は制御電圧ｂの経路に設けられると共に、別の抵抗Ｒ２’がトランジスタスイッチ(7)を用いて抵抗Ｒ２’に並列に接続（又は非接続）することができるようにされ、
　ホールド回路(5)と別の抵抗Ｒ２’(8)とからなる回路部が、パルス形状のヘッド切換信号により制御され、
　ヘッドの切換直後の所定時間の間、ホールド回路(5)と別の抵抗Ｒ２’(8)とからなる回路部の放電時定数を、常時の大きな値Ｔ２から該大きな値Ｔ２より小さな値Ｔ２’に切り換える自動利得制御回路。
（２）対応関係
　刊行物１に記載された発明の「バースト信号」、「制御電圧ｂ」、「再生カラー信号を増幅するＡＧＣ制御増幅器(2)」、「ヘッドの切換直後の所定時間」、「常時の大きな値Ｔ２」、「小さな値Ｔ２’」、「ホールド回路(5)と別の抵抗Ｒ２’(8)とからなる回路部」、「パルス形状のヘッド切換信号」及び「複数のヘッドを切換えて連続した信号を得る記録再生装置における自動利得制御回路」が、それぞれ、本願発明の「色同期信号」、「調整電圧（Ｕｒ）」、「色副搬送波増幅器(8)」、「画像のスタート時における時間間隔（Ａ）」、「可視画像の期間に有効な大きな値（Ｔ１）」、「小さな値（Ｔ２）」、「時定数素子（１４）」、「パルス形成器（１７）において生成された制御電圧（Ｕｒ）」及び「ビデオレコーダにおける色副搬送波振幅調整回路」に相当することは、明らかである。
　また、刊行物１に記載された「抵抗Ｒ１とコンデンサＣ」がフィルタ回路の作用をすることは明らかである。
（３）一致点・相違点
　本願発明と刊行物１に記載された上記発明とは、下記４の点において一致し下記５の点において相違することが認められる。
　　　　　記４（一致点）
　再生時に、色同期信号の振幅から導出される調整電圧が、時定数素子を介して色副搬送波増幅器の増幅度を調整し、画像のスタート時における時間間隔の間、時定数は、可視画像の期間に有効な大きな値から該大きな値より小さな値に切り換えられる、ビデオレコーダにおける色副搬送波振幅調整回路において、
　時定数素子がパルス形成器において生成された制御電圧により制御されており、
　抵抗およびコンデンサを有するフィルタ部が調整電圧の経路に設けられている色副搬送波振幅調整回路。
　　　　　記５（相違点）
　（ａ）相違点１
　「画像のスタート時における時間間隔」が、本願発明では、「電子ビームが、オーバスキャンのため画像スクリーン上には可視表示されない」時間間隔であるのに対して、刊行物１にはその旨の記載はない点
　（ｂ）相違点２
　「パルス形成器において生成された制御電圧」が、本願発明では、「ヘッド切換信号（Ｕｓ）の供給されるパルス形成器（１７）において生成された」ものであるのに対して、刊行物１には「ヘッド切換信号」との記載があるだけで、信号の生成由来については記載はない点
　（ｃ）相違点３
　時定数を大きな値から小さな値に切換えるために「フィルタ回路」に追加する構成が、本願発明では、「別のコンデンサ（Ｃ２）は、スイッチ（２０、２１）を用いて前記コンデンサ（Ｃ１）に並列に接続することができ、」る構成であり、さらに「前記スイッチは、トランジスタ（２０）または電界効果トランジスタ（２１）によって形成されている」のに対して、刊行物１記載の発明では、「別の抵抗Ｒ２’をトランジスタスイッチ(7)を用いて抵抗Ｒ２に並列に接続することができる」構成である点。
　
４．相違点の判断
（１）上記相違点について判断する。
　（ａ）相違点１
　刊行物２の「テレビ画面はヘッドの切換えから２０Ｈ後ぐらいから始まるから、放電もこの程度の時間で終らせる必要がある」旨、「フィールド間の色信号レベル差（６dB）を２０Ｈぐらいの間で補償する必要がある」旨の前記各記載によれば、刊行物２には、テレビ画面が始まるまでに放電が終了するように時定数を小さくすることが開示されている。
　そうすると、本願発明の「電子ビームが、オーバスキャンのため画像スクリーン上には可視表示されない、画像のスタート時における時間間隔」とすることは、刊行物１の「ヘッドの切換直後の所定時間」を刊行物２を参照して「テレビ画面が始まるまで」とすることにより、当業者が容易になし得ることである。
　（ｂ）相違点２
　本願発明の「ヘッド切換信号（Ｕｓ）」は、フィールド毎に交番する信号であり（段落(0012)、(0013)及び図２）、本願発明は、これがパルス形成器（１７）に供給されその縁においてパルス形状の制御電圧（ＵＴ）が生成されるものである。
　刊行物１の「ヘッド切換信号は、その他ヘッド切換信号に関連した信号の任意のところから取ることができる」との記載によれば、刊行物１の「ヘッド切換信号」はヘッドの切換直後の所定時間の間のパルス形状の信号でありさえすれば、その生成由来にはよらない旨開示されている。他方、刊行物３には、タイミングパルスＱとして、ヘッドの切換毎に交番するスイッチングパルスＰの立上り又は立下りを基準として、所定の時間Ｔだけ遅れた所定の時間幅Ｗを有するパルスを使用することが開示されている。
　そうすると、本願発明の「ヘッド切換信号（Ｕｓ）の供給されるパルス形成器（１７）において生成された」とすることは、刊行物１の「ヘッド切換信号」を刊行物３を参照して「ヘッドの切換毎に交番するスイッチングパルスＰの立上り又は立下りを基準とする所定の時間幅Ｗを有するパルス」とすることにより、当業者が容易になし得ることである。
　（ｃ）相違点３
　通常、時定数素子は抵抗とコンデンサとから構成され、その時定数は抵抗とコンデンサの結合態様により定まるところ、刊行物１に記載された発明は、抵抗及びコンデンサのうち、抵抗の方を接続・非接続とすることにより時定数を切換えるものである。このことはまた、コンデンサの方を接続・非接続とすることにより時定数を切換えることをも示唆していると言うことができる。
　他方、別のコンデンサを、スイッチ（トランジスタ又は電界効果トランジスタ）を用いて、フィルタ回路のコンデンサに並列に接続することができるようにすることにより、時定数を大きな値から小さな値に切換える構成は、時定数を切換える手段としては周知の事項である（例えば、実願昭６１−１０６１７０号（実開昭６３−１２９８５号）のマイクロフィルム参照。なお、請求項４に関連して必要ならば、実願平２−２５３２５号（実開平３−１１５４７５号）のマイクロフィルム参照）。
　そうすると、本願発明の「別のコンデンサ（Ｃ２）は、スイッチ（２０、２１）を用いて前記コンデンサ（Ｃ１）に並列に接続することができ、前記スイッチは、トランジスタ（２０）または電界効果トランジスタ（２１）によって形成されている」とすることは、刊行物１に記載の、ホールド回路(5)と別の抵抗Ｒ２’とからなる回路部を、上記周知技術で置き換えることにより、当業者が容易になし得ることである。
（２）以上のとおり、本願発明の上記相違点１、相違点２及び相違点３に係る構成は、いずれも当業者が容易になし得ることであり、また、これら相違点を総合的に考慮しても、当業者が容易になし得ることである。
　さらに、本願発明の効果も上記各刊行物の記載及び周知技術から予測することができる程度のものにすぎない。
　
５．むすび
　以上、請求項１に係る発明は、刊行物１、刊行物２及び刊行物３に記載された各発明並びに周知技術に基づいて当業者が容易に発明をすることができたものであり、特許法第２９条第２項の規定により特許を受けることができない。
　したがって、請求項２から請求項４までに係る各発明について検討するまでもなく、本願は拒絶をすべきものである。
　よって、結論のとおり審決する。